【手続補正書】
【提出日】平成24年8月29日(2012.8.29)
【手続補正１】
【補正対象書類名】特許請求の範囲
【補正対象項目名】全文
【補正方法】変更
【補正の内容】
【特許請求の範囲】
【請求項１】
切断材に載置するベースと、該ベースの上面に支持され、該ベースの下面側に突き出す円形の切断刃を備えて、該ベースと一体で切断進行方向に移動させて前記切断材の切断加工を行う切断機本体を備えた切断機に装備された集塵装置であって、
前記ベース若しくは前記切断機本体に支持されて、前記切断刃の下方に保持される粉塵受けを備えた集塵装置。
【請求項２】
請求項１記載の集塵装置であって、前記粉塵受けは、前記ベース若しくは前記切断機本体に対して着脱可能に支持された集塵装置。
【請求項３】
請求項２記載の集塵装置であって、前記粉塵受けは、前記ベースに着脱可能に支持された集塵装置。
【請求項４】
請求項３記載の集塵装置であって、前記ベースに、前記切断刃を前記切断材に対して案内するための平行定規を取り付けるための定規取り付け部が設けられており、該定規取り付け部を利用して取り付けた支持アームを介して前記粉塵受けを支持する構成とした集塵装置。
【請求項５】
請求項２記載の集塵装置であって、前記粉塵受けは、上下に傾動可能に支持された集塵装置。
【請求項６】
請求項５記載の集塵装置であって、前記粉塵受けは、集塵ホース接続用の集塵ノズルを備えており、該集塵ノズルに対して上下に傾動可能に支持された集塵装置。
【請求項７】
請求項１〜６のいずれか１項に記載した集塵装置を備えた切断機。
【請求項８】
請求項１記載の集塵装置を備えた切断機であって、前記粉塵受けは、集塵ホース接続用の下側集塵口を備え、前記ベースの上面側において前記切断刃の周囲が本体ケースで覆われており、該本体ケースに集塵ホース接続用の上側集塵口を備えた切断機。
【請求項９】
切断材に載置可能なベースと、該ベースの上方に設けられた切断機本体と、該切断機本体に保持され、前記ベースの下方に突き出す切断刃とを有する切断機、に接続可能な粉塵受けであって、前記ベースに固定され、前記ベースの下方に配置された粉塵受け。
【請求項１０】
請求項９記載の粉塵受けであって、前記切断刃の少なくとも一部を覆う粉塵受け。
【請求項１１】
請求項９又は請求項１０記載の粉塵受けであって、集塵機に接続するための集塵ホースに接続可能な接続部を備えており、前記切断刃は円形で、前記切断機本体に回転可能に保持されており、前記接続部は、前記切断刃の回転中心よりも切断方向前方に設けられた粉塵受け。
【請求項１２】
請求項９〜１１の何れか１項に記載した粉塵受けであって、前記ベースの前端及び後端の間に配置された粉塵受け。
【請求項１３】
請求項９〜１２の何れか１項に記載した粉塵受けを有する切断機。
【手続補正２】
【補正対象書類名】明細書
【補正対象項目名】０００５
【補正方法】変更
【補正の内容】
【０００５】
上記の課題は、以下の発明により解決される。
第１の発明は、切断材に載置するベースと、ベースの上面に支持され、ベースの下面側に突き出す円形の切断刃を備えて、ベースと一体で切断進行方向に移動させて切断材の切断加工を行う切断機本体を備えた切断機に装備された集塵装置であって、ベース若しくは切断機本体に支持されて、切断刃の下方に保持される粉塵受けを備えた集塵装置である。
第１の発明によれば、粉塵受けがベース若しくは切断機本体に支持されていることから、これを切断機と一体のものとして取り扱うことができ、これにより当該集塵装置の取り扱いの利便性を高めることができる。
また、切断刃の下方に粉塵受けが保持されることから、切断刃の下方両側に発生する切断粉を受けることができるので切断材の下面側において切断刃の左右両側における集塵を効率よく行うことができるようになる。
第２の発明は、第１の発明において、粉塵受けは、ベース若しくは切断機本体に対して着脱可能に支持された集塵装置である。
第２の発明によれば、不必要時には取り外すことができるので、切断機の取り扱い性の利便性を一層高めることができる。
第３の発明は、第２の発明において、粉塵受けは、ベースに着脱可能に支持された集塵装置である。
第３の発明によれば、切断材により接近した部位に対して粉塵受けを支持することができるので、その支持構造を簡素化することができる。
第４の発明は、第３の発明において、ベースに、切断刃を切断材に対して案内するための平行定規を取り付けるための定規取り付け部が設けられており、この定規取り付け部を利用して取り付けた支持アームを介して粉塵受けを支持する構成とした集塵装置である。
第４の発明によれば、既存の定規取り付け部を利用して粉塵受けを支持することができるので、特別の取り付け部位を新たに設定する場合に比して低コストで当該集塵装置を実現することができるとともに、当該集塵装置の後付けを容易に行うことができるようになる。
第５の発明は、第２の発明において、粉塵受けは、上下に傾動可能に支持された集塵装置である。
第５の発明によれば、切断により切断材本体側から切り離された切り落とし側が粉塵受けに乗り掛かってしまうことを未然に防止することができる。切断材の切り落とし側が粉塵受けに乗り掛かってしまうと、切断材本体側（切り落とされない側）から十分な距離だけ離れずに切断刃付近に留まる状態となりやすい。一方、ベースの下面側に突き出された切断刃の周囲は、通常その周方向に開閉可能に設けられた可動カバーによって覆われる。このため、切断加工後において切断材の切り落とし側が粉塵受けに乗り掛かってしまうと、切断加工中全開状態であった可動カバーがこの切り落とし側に干渉してその閉じ動作が阻害される。
しかしながら、第５の発明によれば、粉塵受けが切断材の切り落とし側の重さによって下方へ傾動することから、当該切り落とし側が粉塵受けに乗り掛かった状態に留まらずスムーズに滑り落ちる。このため、可動カバーが切り落とし側に干渉することがなく、その結果当該可動カバーがスムーズに閉じられる。
第６の発明は、第５の発明において、粉塵受けは、集塵ホース接続用の集塵ノズルを備えており、この集塵ノズルに対して上下に傾動可能に支持された集塵装置である。
第６の発明によれば、集塵ノズルに接続した集塵ホースを介して粉塵受けに例えば集塵機を接続することにより、当該粉塵受けに集塵した粉塵をこの集塵機で集塵（回収）することができる。
また、粉塵受けが集塵ノズルに対して上下に傾動可能に支持されている。このため、集塵ホースを捩ることなく粉塵受けを上下にスムーズに傾動させることができ、これにより前記切断材の切り落とし側が可動カバーの閉じ動作について邪魔になることがないので当該可動カバーの動作不良を未然に防止することができる。
第７の発明は、第１〜６のいずれか１つの発明に係る集塵装置を備えた切断機である。
第７の発明によれば、下面側集塵用の集塵装置について上記の作用効果を得ることができ、これにより当該切断機の集塵機能及び取り扱い性等の付加価値を一層高めることができる。
第８の発明は、第１の発明に係る集塵装置を備えた切断機であって、粉塵受けは、集塵ホース接続用の下側集塵口を備え、ベースの上面側において切断刃の周囲が本体ケースで覆われており、本体ケースに集塵ホース接続用の上側集塵口を備えた切断機である。
第８の発明によれば、切断材の上面側と下面側の双方において発生する切断粉の集塵を行うことができるので、切断作業の迅速化及び作業環境の改善を図ることができる。